(57)【要約】      （修正有）【課題】緊急時にもすぐに使えるように内部の湿度を低く抑えるマグネシウム電池製品のパッケージ構造を提供する。【解決手段】アルミニウムシートの外側面及び内側面に合成樹脂フィルムを積層した三層構造の可撓性がある面材１０を袋状に形成した構造である。合成樹脂フィルムの層は、内側面及び外側面ともシリカ層とする。このマグネシウムライトＬは、本体Ｌ１の内部にマグネシウム電極が設けられ、本体Ｌ１の下部には水を導入する導水口Ｌ２が設けられている。シリカ層を設けることで、パッケージの内部の湿気が防止される。また、パッケージの内部には、シリカゲル２０を開口部１２から内部に入れ、この状態でマグネシウムライトＬをパッケージ内に入れて真空引きし開口部１２を閉じる。内部に残った水分は、シリカゲル２０に吸収されるので、パッケージの内部の湿度は真空引きの際よりも低下し、時間が経って湿気が進入しても当該シリカゲル２０により水分が吸収される。【選択図】図４
0003213293.tif 000002
【実用新案登録請求の範囲】
【請求項１】
難透湿性又は非透湿性の面材を袋状に形成し、その袋状内部にシリカゲルを入れたことを特徴とする、水との化学反応により発電するマグネシウム電池製品のパッケージ構造。
【請求項２】
前記面材は、外側面または内側面にシリカ層を設けた構造であることを特徴とする請求項１に記載のマグネシウム電池製品のパッケージ構造。
【請求項３】
前記面材は、外側面または内側面に合成樹脂層を設けた構造であることを特徴とする請求項１に記載のマグネシウム電池製品のパッケージ構造。
【請求項４】
前記合成樹脂層は、内側面がナイロン層、外側面がナイロン層又はポリプロピレン層であることを特徴とする請求項３に記載のマグネシウム電池製品のパッケージ構造。
【請求項５】
前記面材は、アルミニウム層を含むことを特徴とする請求項１〜４のいずれか一つに記載のマグネシウム電池製品のパッケージ構造。
【請求項６】
前記シリカゲルは、前記マグネシウム電池製品の水を導入する導水部の直近になるように配置されることを特徴とする請求項１〜５のいずれか一つに記載のマグネシウム電池製品のパッケージ構造。
【請求項７】
前記マグネシウム電池製品としてのマグネシウムライトを上記請求項１〜６のいずれか一つに記載のマグネシウム電池製品のパッケージ構造に真空引きした状態で封入したことを特徴とするマグネシウムライトパック。
【考案の詳細な説明】
【技術分野】
【０００１】
本考案は、水との化学反応により発電するマグネシウム電池製品のパッケージ構造およびマグネシウムライトパックに関するものである。
【背景技術】
【０００２】
従来から非特許文献１に記載されているようなマグネシウムライトが知られている。このマグネシウムライトに内蔵されるマグネシウム電池は、水につけることでマグネシウムが酸素と結合することで発電を行うものである。このマグネシウムライトの本体下部の注水口から水を注ぐことで点灯する。緊急時、水が無い場合はジュース・コーヒー・ビール・ワイン等の飲料や尿・唾液等でも点灯可能である。
【先行技術文献】
【特許文献】
【０００３】
【非特許文献１】マグネシウムライト（URL:http://www.pegasos-electra.jp/products/product1（平成29年4月20日現在））
【考案の概要】
【考案が解決しようとする課題】
【０００４】
このようなマグネシウムライトは災害時や停電時に使用するために準備されることが多く、そのために長期間の保管に耐えうるものでなければならない。本考案は、マグネシウムライトを長期間保管しても化学反応を起こさないパッケージを提供することを目的とする。
【課題を解決するための手段】
【０００５】
本考案に係る水との化学反応により発電するマグネシウム電池製品のパッケージ構造は、難透湿性又は非透湿性の面材を袋状に形成し、その袋状内部にシリカゲルを入れたことを特徴とする。前記面材は、外側面または内側面にシリカ層を設けた構造とするのが好ましい。また、前記面材は、外側面または内側面に合成樹脂層を設けた構造とするのが好ましい。当該合成樹脂層は、内側面がナイロン層、外側面がナイロン層又はポリプロピレン層とするのが好ましい。
【０００６】
更に、前記面材は、アルミニウム層を含むものとするのが好ましい。また、前記シリカゲルは、前記マグネシウム電池製品の水を導入する導水部の直近になるように配置するのが好ましい。
【０００７】
また、本考案に係るマグネシウムライトパックは、前記マグネシウム電池製品としてのマグネシウムライトを上記のマグネシウム電池製品のパッケージ構造に真空引きした状態で封入したことを特徴とする。
【図面の簡単な説明】
【０００８】
【図１】本考案の実施の形態１に係るマグネシウムライトのパッケージを示す一部断面図である。
【図２】図１に示したパッケージの封入前の状態を示す斜視図である。
【図３】図１に示したパッケージに封入するマグネシウムライトの具体例を示す斜視図である。
【図４】図３に示したマグネシウムライトを封入したマグネシウムライトパックを示す説明平面図である。
【図５】図３に示したマグネシウムライトを封入したマグネシウムライトパックを示す説明図である。
【図６】内部湿度の経時変化に関する実験結果を示す図表である。
【考案を実施するための形態】
【０００９】
（実施の形態１）
図１は、本考案の実施の形態１に係るマグネシウムライトのパッケージを示す一部断面図である。図２は、図１に示したパッケージの封入前の状態を示す斜視図である。このパッケージ１００は、難透湿性又は非透湿性の面材、例えばアルミニウムシート１の外側面（３）及び内側面（２）にシリカ層２，３を蒸着積層した三層構造の可撓性がある面材１０を袋状に形成した構造である。面材１０の厚さは０．１ｍｍ前後である。図２に示すように、面材１０は２枚積層されてその三辺１１が圧着等の公知の方法により接合されている。前記シリカ層２，３を設けることで、パッケージ１００の内部の湿気が防止される。本考案において難透湿性の面材とは、１％未満０％より大きい透湿性を有する面材をいう。非透湿性の面材とは、透湿性が０％の面材をいう。
【００１０】
図３は、パッケージ内に封入するマグネシウムライトの一例を示す斜視図である。このマグネシウムライトＬは、本体Ｌ１の内部にマグネシウム電極が設けられ、本体Ｌ２の下部には水を導入する導水口Ｌ２が設けられている。また、本体Ｌ１の側面には、ライトのスイッチＬ３が設けられている。ライト部Ｌ４は、本体Ｌ１の先端に設けられる。なお、封入するマグネシウムライトＬの構成部材に含有される水分による化学反応を抑えるため、マグネシウムライトＬの本体やその構成部材を高温低湿下で十分乾燥させておくことが好ましい。
【００１１】
パッケージ１００の内部には、シリカゲル２０を封入するものとする。具体的には２ｇ程度のシリカゲル２０を開口部１２から内部に入れ、この状態でマグネシウムライトＬをパッケージ内に入れて真空引きし開口部１２を閉じる。内部に残った水分は、真空状態になることで蒸発するが、シリカゲル２０に吸収されるので、パッケージ１００の内部の水分は完全に吸収される。
【００１２】
仮に、内部に湿気が進入しても前記シリカゲル２０により水分が吸収されるので、パッケージ１００内部の湿度が上昇することはない。これにより、図４及び図５に示すような、災害時や停電時に問題なく使用できるマグネシウムライトパック１５０が構成される。なお、図５では、内部でのマグネシウムライトＬとシリカゲル２０との位置関係を示すため、面材１０を透視して表す。
【００１３】
また、前記シリカゲル２０は、図４及び図５に示すように、パッケージ１００内においてマグネシウムライトＬの水を導水部Ｌ２の直近になるように配置するのが好ましい。また、シリカゲル２０は、ビーズ状に形成されたシリカゲルを透湿性の不織布又はネットで構成した袋に入れた構成である。パッケージ１００を真空引きするとマグネシウムライトＬの本体Ｌ１にパッケージが吸着するので、マグネシウムライトＬの導水部Ｌ２から離れた位置にシリカゲル２０が位置すると水分が移動し難くなり吸湿効果が低下する。このため、マグネシウムライトＬの導水部Ｌ２の直近に配置することで、内部の水分を吸収しやすくし（又は外部から湿気が進入した場合にはその水分）、マグネシウムとの化学反応を防止できる。
【００１４】
本考案では、シリカ層を備えた面材１０によりパッケージ１００を構成し、この内部にシリカゲル２０を封入した構造のため、保存期間が長期になってもシリカゲル２０に湿気が吸収されることから、内部の湿度が上がらず、パッケージ１００の内部の湿度は低下する。従って、マグネシウムライトＬが化学反応を起こすことがなく、長期間保存した後にパッケージ１００を開封しても、内部のマグネシウムライトＬは問題なく点灯する。なお、本実施の形態では、マグネシウム電池製品の例としてマグネシウムライトＬを挙げたが、水との化学反応により発電するマグネシウム電池自体又はこれを電源とした他の電気製品であれば適用可能である。また、本考案に係るマグネシウムライトパック１５０は、長期間保存後でもパッケージ１００を開封することで確実に使用できる。
【００１５】
（実施の形態２）
また、実施の形態１のシリカ層２，３は、内側面及び外側面ともナイロン層としても良い。その他の構成は、実施の形態１と同様であるから、その説明を省略する。本考案においても、シリカゲル２０に湿気が吸収されることから、内部の湿度は低下する。このため、マグネシウムライトＬが反応することがなく、長期間保存した後にパッケージ１００を開封しても、内部のマグネシウムライトＬは問題なく作動する。
【００１６】
（実施の形態３）
また、実施の形態１のシリカ層２，３は、内側面をナイロン層とし、外側面をポリプロピレン層としても良い。その他の構成は、実施の形態１と同様であるから、その説明を省略する。本考案においても、シリカゲル２０に湿気が吸収されることから、内部の湿度は低下する。このため、マグネシウムライトＬが反応することがなく、長期間保存した後にパッケージ１００を開封しても、内部のマグネシウムライトＬは問題なく作動する。
【００１７】
図６は、上記実施の形態１乃至３に記載のマグネシウムライトパックの内部の湿度を測定した結果を示す図表である。この実験では、アルミニウムシート１の外側面、内側面の材質を変更して行った。この結果、内側面及び外側面の材質をシリカ層とした場合（サンプル１）、長期間において湿度を低く保つことができた。また、図表中の「丸」、「バツ」はスイッチＬ３を動かせる程に膨れたか否かを示す指標である。シリカ層の場合、長期間の保存でも面材１０が本体Ｌ１に吸着してスイッチＬ３を動かすことができない状態を維持できた。
【００１８】
次に、内側面及び外側面の材質をナイロン層とした場合（サンプル２）も、長期間に渡り湿度の上昇を起こすことがなかった。また、スイッチＬ３を動かすことができない状態を維持できた。また、内側面の材質をナイロン層、外側面をポリプロピレン層とした場合（サンプル３）も、長期間に渡り湿度の上昇を起こすことがなかった。また、スイッチＬ３を動かすことができない状態を維持できた。
【００１９】
一方、参考として、内側面の材質をナイロン層、外側面をポリエチレン層とした場合（サンプル４）、すぐに膨れが生じ、スイッチＬ３が動いてしまう状態となった。この構成の場合、長期間の保存には不適であることが判る。なお、考案者は、材質の組み合わせについて、これらの他にも実験を行ったが、サンプル１〜３の組み合わせが最も好ましいものであった。
【００２０】
また、発明者らが上記実施の形態１の構成において、（１）温度４０度、湿度９０％、（２）温度５０度、湿度９０％、に環境温度及び湿度を管理した状態で約８か月間保持したところ、内部の湿度は一定に保たれ且つパッケージに膨らみが生じることはなかった。このため、本考案の構成により、高温多湿の環境の中でも長期間保存が可能であることがわかった。
【符号の説明】
【００２１】
１００  パッケージ
１  アルミニウムシート
２，３  合成樹脂フィルム
１０  面材
２０  シリカゲル
１５０  マグネシウムライトパック
Ｌ  マグネシウムライト
【図１】
0003213293.tif 000003
【図２】
0003213293.tif 000004
【図３】
0003213293.tif 000005
【図４】
0003213293.tif 000006
【図５】
0003213293.tif 000007
【図６】
0003213293.tif 000008